(57)【特許請求の範囲】
【請求項１】
カップ本体に、内カップとマドラーとを収容した複合カップであって、前記カップ本体に水分を含む内容物を収容し、前記内カップに前記カップ本体に収容する内容物と異なる内容物を収容し、前記カップ本体に収容した内容物のみを凍らせて販売する複合カップにおいて、前記マドラーは心棒の側面部分から放射状に複数の羽根部材を有し、前記内カップが、前記カップ本体内部の上方部分に保持されるとともに、前記マドラーが、前記カップ本体内部の下方部分に収容されることにより、前記カップ本体内部の上下部分に、それぞれ異なる収容部を形成し、前記マドラーの前記羽根部材は、前記カップ本体の内部形状に沿った形状を有しかつ前記カップ本体に接することにより、前記羽根部材が前記カップ本体内部において隔壁を形成して、前記カップ本体の収容部を複数の収容部分に区切ることを特徴とする、複合カップ。
【請求項２】
前記内カップの前記マドラーの心棒の対応する位置に窪みを設けたことを特徴とする、請求項１に記載の複合カップ。
【請求項３】
前記内カップは、該内カップのフランジ部分が前記カップ本体の段部へと係止することにより、前記カップ本体へと保持されることを特徴とする、請求項１または２に記載の複合カップ。
【請求項４】
前記カップ本体および前記内カップに、それぞれ内容物を密封するための初期開封シールを形成したことを特徴とする、請求項１乃至３のいずれか１項に記載の複合カップ。
【発明の詳細な説明】
【技術分野】
【０００１】
本発明は、カップに異なる内容物を収容して、使用時において、これらの内容物を混合することが可能な、複合カップに関する。
【背景技術】
【０００２】
従来、主に店頭で販売されるアルコール類の種類としては、缶ビールや、ウィスキー、焼酎などがあり、特に、最近では、カクテルやチューハイ、さらには水割りされたウィスキーなど、その種類は多種におよぶ。しかしながら、ウィスキーやブランデー、リキュール類などは、通常、単独の内容物が瓶詰めの状態で販売されることが多く、例えばウィスキーを氷とともに（オンザロック）で楽しむときには、消費者がウィスキーを購入後において、グラスや氷を別途準備して、冷凍庫で保管した氷もしくは別途購入したロックアイスをグラスに入れて、このグラスにウィスキーを適量注ぎ、ウィスキーオンザロックを作る必要があった。
【０００３】
このため、外出先や新幹線、飛行機等での移動時においては、グラスや氷などを別途準備する必要があり、ウィスキーをオンザロックで手軽に楽しむことが困難である。また、新幹線や飛行機などで、ウィスキーオンザロックを販売、提供する際には、多くの手間を要してしまうという問題がある。
【発明の開示】
【発明が解決しようとする課題】
【０００４】
本発明は、上記課題を解決するためになされたものであり、異なる内容物を別々に収容し、使用時において簡単にこれらを混ぜ合わせることが可能な複合カップを提供することを課題とし、特に、場所を選ぶことなく、ウィスキーをオンザロックで楽しむことを可能とすべく、別途氷やグラスを必要とせず、簡単な方法により、その場でウィスキーオンザロックを作ることが可能な、複合カップを提供するものである。さらには、使いやすいばかりでなく、面白さと斬新さを兼ね備えて、消費者に驚きと喜びとを与えることが可能な、新しい形態の複合カップを提供することを課題とする。
【課題を解決するための手段】
【０００５】
そこで、上記課題を解決するため、本発明の請求項１記載の発明は、カップ本体に、内カップとマドラーとを収容した複合カップであって、前記カップ本体に水分を含む内容物を収容し、前記内カップに前記カップ本体に収容する内容物と異なる内容物を収容し、前記カップ本体に収容した内容物のみを凍らせて販売する複合カップにおいて、前記マドラーは心棒の側面部分から放射状に複数の羽根部材を有し、前記内カップが、前記カップ本体内部の上方部分に保持されるとともに、前記マドラーが、前記カップ本体内部の下方部分に収容されることにより、前記カップ本体内部の上下部分に、それぞれ異なる収容部を形成し、前記マドラーの前記羽根部材は、前記カップ本体の内部形状に沿った形状を有しかつ前記カップ本体に接することにより、前記羽根部材が前記カップ本体内部において隔壁を形成して、前記カップ本体の収容部を複数の収容部分に区切ることを特徴とする、複合カップである。
【０００６】
また、請求項２に記載の発明は、前記内カップの前記マドラーの心棒の対応する位置に窪みを設けたことを特徴とする、複合カップである。
【０００７】
また、請求項３に記載の発明は、前記内カップは、該内カップのフランジ部分が前記カップ本体の段部へと係止することにより、前記カップ本体へと保持されることを特徴とする、複合カップである。
【０００８】
また、請求項４に記載の発明は、前記カップ本体および前記内カップに、それぞれ内容物を密封するための初期開封シールを形成したことを特徴とする、複合カップである。
【発明の効果】
【００１１】
本発明の請求項１に記載の発明は、カップ本体に、内カップとマドラーとを収容した複合カップであって、前記カップ本体に水分を含む内容物を収容し、前記内カップに前記カップ本体に収容する内容物と異なる内容物を収容し、前記カップ本体に収容した内容物のみを凍らせて販売する複合カップにおいて、前記マドラーは心棒の側面部分から放射状に複数の羽根部材を有し、前記内カップが、前記カップ本体内部の上方部分に保持されるとともに、前記マドラーが、前記カップ本体内部の下方部分に収容されることにより、前記カップ本体内部の上下部分に、それぞれ異なる収容部を形成し、前記マドラーの前記羽根部材は、前記カップ本体の内部形状に沿った形状を有しかつ前記カップ本体に接することにより、前記羽根部材が前記カップ本体内部において隔壁を形成して、前記カップ本体の収容部を複数の収容部分に区切ることを特徴とする簡単な構成により、異なる内容物を別々に収容し、使用時において簡単にこれらを混ぜ合わせることが可能な複合カップを提供することが可能である。さらには、使用時において、面白さと斬新さとを兼ね備え、消費者に驚きと喜びとを与えることが可能な新しい形態のカップを提供することが可能である。また、棒体をつまみマドラーを回転させることにより、羽根部材で内容物を混ぜ合わせることが可能である。また、例えば、カップ本体の内部に、複数個の氷等の内容物を収容或いは形成することが可能である。
【００１２】
また、請求項２に記載の発明は、前記内カップの前記マドラーの心棒の対応する位置に窪みを設けたことを特徴とするから、内カップの底部分に形成された窪みへと、前記マドラーのつまみ部が入り込んでおり、カップ本体の収容部へと液体等の内容物を充填した際に生じる、マドラーの浮力により、マドラーが上方へと浮き上がってしまうことを防ぐ効果がある。
【００１３】
また、請求項３に記載の発明は、前記内カップは、該内カップのフランジ部分が前記カップ本体の段部へと係止することにより、前記カップ本体へと保持されることを特徴とするから簡単な構成により、内カップをカップ本体へと収容することが可能である。
【００１５】
また、請求項４に記載の発明は、前記カップ本体および前記内カップに、それぞれ内容物を密封するための初期開封シールを形成したことを特徴とするから、異なる内容物をそれぞれ密封した状態で保存、輸送、販売することが可能である。
【発明を実施するための最良の形態】
【００１７】
本発明に係るカップＡの一例としては、図１（ａ）に示すように、樹脂成型品からなる複合カップＡ（カップＡ）であって、該カップＡは、図１（ｂ）に示すように、カップ本体１と、該カップ本体１の内部上方に保持される取り外し可能な内カップ２と、前記カップ本体１の内部下方に収容される取り外し可能なマドラー３とからなり、カップＡを構成している。
【００１８】
これにより、前記カップ本体１と前記内カップ２とに、異なる内容物をそれぞれ収容することが可能であり、例えば、カップ本体１には液体を、内カップ２には異種の液体や固体若しくは粉体を収容するなど、目的に応じてカップ本体１と内カップ２とに収容する内容物を別けることが可能である。
【００１９】
特に、カップ本体１に、回転自在かつ取り外し可能なマドラー３を収容することにより、使用時においてカップ本体１と内カップ２との異なる内容物を混合した際に、前記マドラー３を用いて容易に内容物を混ぜ合わせることが可能である。
【００２０】
以下に、本発明の複合カップＡを構成する、カップ本体１、内カップ２、マドラー３についてそれぞれ説明する。
まず、前記カップ本体１は、詳しくは、図２に示すように、カップ本体１の底部分１９に、該底部分１９の中央部が僅かに盛り上がった軸凸部１８を有し、前記底部分１９の外周から上方へと筒状の側面１７を有し、該側面１７の上方部分には、段差からなる段部１６を有し、該段部１６のさらに上方にはフランジ部分１５が形成されている。
【００２１】
そして、前記段部１６に、後述する、内カップ２のフランジ部分２２が当接して、内カップ２をカップ本体１の上方部分へと保持可能としている。また、カップ本体１の底部分１９に形成された前記軸凸部１８へと、後述する、マドラー３の下方に形成された軸凹部が入り込むことにより、カップ本体１の内部において、マドラーの心棒を中心軸としてマドラー３を回転自在に構成している。
【００２２】
次に、前記内カップ２は、詳しくは、図３に示すように、底部分２５の中央部分に凸形状からなる窪み２４を有しており、この窪み２４へと、後述する、マドラー３のつまみ部３２が下方から入り込むことにより、カップ本体１の内部においてマドラー３を固定することが可能である。
【００２３】
そして、前記底部分２５の外周からは、上方へと側面２３を有し、該側面２３の上方にはフランジ部分２２が形成されている。そして、このフランジ部分２２が、前記カップ本体１の段部１６へと係止することにより、カップ本体１の上方部分に、内カップ２が宙に浮いた状態で保持することが可能である。よって、カップ本体１の下方部分に収容部が形成されるとともに、内カップ２の内容物とカップ本体１の内容物とが互いに接することがない。
【００２４】
次に、前記マドラー３は、詳しくは、図４に示すように、心棒３１（棒体３１）を軸に、放射状に四方向へと羽根部材３３が形成されている。また、前記心棒３１の上方には、心棒３１より太い棒状部材からなるつまみ部３２が形成されている。
それぞれの前記羽根部材３３の形状は、前記カップ本体１の内部形状に沿った形状を有しており、後述する、カップ本体１へとマドラー３が収容された状態では、羽根部材３３が隔壁を形成するため、カップ本体１の内部をさらに４つの収容部分に区切ることが可能である。前記羽根部材３３は、剛性のある板状でも、フレキシブルなフィルム状のものでもよく、羽根部材の材質は特に限定されるものではない。
【００２５】
また、マドラー３の底部分の中央には、上方へと窪んだ軸凹部３４が形成されており、該軸凹部３４と、前記カップ本体１の底部分１９に形成された軸凸部１８とが組み合わされることにより、マドラー３が心棒３１を軸に回転自在に構成されている。
【００２６】
そして、本発明の複合カップＡは、前記カップ本体１と、前記内カップ２と、前記マドラー３とを、図５に示すように、それぞれ縦方向かつ一列に収容することにより、図６に示すように、カップ本体１の下方部分にマドラー３が収容されるとともに、カップ本体１の上方部分に内カップ２が保持されて、本発明の複合カップＡを形成することが可能である。
【００２７】
また、前記マドラー３の羽根部材３３が、カップ本体１の内部形状に沿って密着しており、カップ本体１の収容部Ｃがさらに４つの収容部Ｃに区切られている。また、内カップ２の底部分に形成された窪み２４へと、前記マドラー３のつまみ部３２が入り込んでおり、カップ本体１の収容部Ｃへと液体等の内容物を充填した際に生じる、マドラー３の浮力により、マドラ３ーが上方へと浮き上がってしまうことを防ぐ効果がある。
【００２８】
特に、マドラー３の下方中央に形成された軸凹部３４と、カップ本体１の下方中央に形成された軸凸部１８とが、互いに係合しており、図７に示すように、マドラー３のつまみ部３２を持ち、カップ本体１の内部においてマドラー３を回転させることが可能である。よって、異なる内容物を簡単に混ぜ合わせることが可能である。
【００２９】
このように、本発明の複合カップＡは、カップ本体１の上方部分に保持された内カップ２の収容部Ｂと、カップ本体１の下方部分に形成された収容部Ｃとの、異なる収容部Ｂ、Ｃをそれぞれ形成することが可能である。よって、前記内カップ２の内容物と、前記カップ本体１の内容物とを別個に保管することが可能であり、複合カップＡの使用時において、カップ本体１の内容物と、内カップ２の内容物とを混合して新しい混合物を容易に形成することが可能である。さらには、カップ本体１に収容されたマドラー３を回転させることにより、内容物を簡単に混ぜ合わせることが可能である。
【００３０】
以下に、本発明の複合カップＡを用いた使用例を図８〜図９を用いて説明する。
（使用例）
前記カップ本体１の収容部Ｃへと天然水を充填し、前記内カップ２の収容部Ｂへとウィスキーを充填する。そして、前記内カップ２のフランジ部分に初期開封フィルムｈを形成するとともに、内カップ２をカップ本体１へと収容し、前記カップ本体１のフランジ部分にも同様に初期開封フィルムＨを形成して、本発明の複合カップＡを形成する。
【００３１】
この複合カップＡを、冷凍庫や冷凍ショーケースにて保管或いは陳列することにより、前記カップ本体１に充填された天然水が氷を形成し、他方、前記内カップ２に充填されたウィスキーは、アルコール度数が高いため凍ることなく、液体の状態を維持することが可能である。
【００３２】
よって、消費者が商品Ａ（複合カップＡ）を購入後、商品Ａの使用時において、図８（ａ）に示すように、カップ本体１の初期開封フィルムＨを除去した後、図８（ｂ）に示すように、内カップ２を取り出し初期開封フィルムｈを除去して、図９（ａ）に示すように、内カップ２のウィスキーを、４つの氷ｋが形成されたカップ本体１へと注ぐとともに、マドラー３を回転させて混ぜ合わせ、図９（ｂ）に示すように、マドラー３を取り出すことにより、簡単にウィスキーオンザロックを作ることが可能である。
【００３３】
特に、マドラー３に形成された複数の羽根部材３３により、氷ｋを分割した状態で複数形成することが可能である。そして、氷ｋを分割して形成することにより、氷ｋの表面積が増大する効果があり、使用時において氷ｋがすばやく融けて内容物と混ざりやすい効果がある。さらには、氷ｋを複数に分割することで、羽根状部材３３と氷ｋとの間に隙間が形成されるため、ウィスキーが前記隙間へと浸透して氷ｋと混ざりやすい効果がある。
【００３４】
以上のように、本発明の複合カップＡは、カップ本体１と内カップ２とマドラー３とを組み合わせてなる簡単な構成により、使用時において、異なる内容物を調合して、その場で好みの内容物を簡単に作ることが可能である。特に、水とアルコールなどのそれぞれ凝固点の異なる内容物を組合せることにより、氷とウィスキーなどの別々の内容物から、ウィスキーオンザロック等の混合物をも形成することが可能である。
【００３５】
特に、マドラー３の羽根部材３３がカップ本体１の内部へと密着して隔壁を形成することにより、複数個のロックアイス（氷）を形成することが可能であり、さらにマドラーを回転させて氷を融かすことにより、ハーフロック（ハーフ＆ハーフ）や、水割りなどの好みに応じたものをその場で作ることが可能である。
【００３６】
本発明の複合カップは、前記内カップの内容物をアルコールとし、前記カップ本体の内容物が水分を含むものとすることにより、前記複合カップを冷凍した際に、前記カップ本体の内容物のみを凍らせることが可能である。以下に、前記内カップの内容物を各種アルコールとし、前記カップ本体の内容物を蒸留水とした場合の一例を実験例とともに示す。
【００３７】
（実験例１）
まず、前記内カップ２の内容物（使用サンプル）として、アルコール度数のそれぞれ異なる（アルコール度数１０〜４０％）２００ｍｌの特級エタノール（和光社製）を用い、チルド輸送せず通常輸送した後、家庭の冷凍庫において１５時間程度保管した場合の各種サンプル（１〜６）の変化を以下表１に示す。前記内カップの材質はＰＥで厚みを０．５ｍｍとし、複合容器Ａの大きさは、底径６０ｍｍφ×口径７０ｍｍφ×高さ８０ｍｍとした。
【表１】
0005055055.tif 000002
【００３８】
（実験例２）
次に、前記内カップ２の内容物（使用サンプル）を、アルコール度数１３〜１４％の各種酒類（老酒、日本酒、杏酒）とし、チルド輸送せず通常輸送した後、家庭の冷凍庫において１５時間程度保管した。
【表２】
0005055055.tif 000003
【００３９】
このように、前記内カップ２の内容物として、アルコール度数が１４％以上の酒類である場合、１５時間程度冷凍しても内カップ２の内容物が液体の状態を維持することが可能であることがわかった。しかしながら、複合容器Ａを冷凍する際の、冷凍温度や冷凍時間等の各種条件によっては、内カップ２の内容物を液体の状態とすることが可能であり、カップ本体１の蒸留水のみを凍らせることが可能であれば、前記内カップ２の内容物の酒類やアルコール度数は、特に限定されるものではない。
【００４０】
このように、本発明の複合カップＡは、異なる内容物を一つのカップ１に収容して、使用時において、異なる内容物から一つの混合物を形成することが可能であるから、ウィスキーオンザロックに限らず、例えば、梅酒や各種フレーバーのリキュール類と、ジュースや炭酸等の清涼飲料との組合せにより、使用時に、消費者が簡単にカクテルを作ることが可能であり、さらには、好みに応じてアルコールの分量を調節することできるから、新しいスタイルでの商品の提供が可能となり、消費者に斬新さと楽しみを与えることが可能である。また、焼酎とウーロン茶や、焼酎と梅干、さらには、カクテルと果物や、お茶とおつまみの組合せなど、様々なバリエーションの組合せとしてもよく、複合カップＡの使用形態は特に限定されるものではない。
【００４１】
また、前記内カップの内容物をアルコールとし、前記カップ本体の内容物が水分を含むものとすることにより、前記複合カップを冷凍した際に、前記カップ本体の内容物のみを凍らせることが可能である。よって、内カップの内容物をアルコール度数の高いウィスキーとし、カップ本体の内容物を天然水として、複合カップを冷凍することにより、前記カップ本体の天然水が氷を形成するため、簡単に、ウィスキーオンザロックなどを作製することが可能である。
【００４２】
前記カップ本体１や前記内カップ２、マドラー３の材質としては、例えば、ポリエチレン（ＰＥ）、ポリプロピレン（ＰＰ）、ポリスチレン（ＰＳ）、アクリロニトリル・ブタジエン・スチレン共重合樹脂（ＡＢＳ樹脂）、ポリ塩化ビニル（ＰＶＣ）、ポリアミド、ポリカーボネート（ＰＣ）、そして、ポリエチレンテレフタレート（ＰＥＴ）やポリブチレンテレフタレート（ＰＢＴ）などのポリエステルなどが、汎用樹脂として好ましく使用でき、さらには、ＬＬＤＰＥ、ＬＤＰＥ、ＨＤＰＥなどのポリオレフィン系樹脂や、エンジニアリングプラスチックに分類される樹脂を使用してもよい。これらの樹脂は単独で用いてもよいが、複数をブレンドして用いることも可能である。さらに、バリア層を含む多層構造として用いることも可能である。また、樹脂のブレンド以外に、アルミ層やバリア性樹脂を用いた多層構造としてバリア性能を作り出してもよく、上記方法に限られるものではない。
【００４３】
また、前記カップ本体１および前記内カップ２、マドラー３の材質としては、上記例に限定されるものではなく、例えば、高級感を出すためにガラス等を用いて形成しても良い。
【図面の簡単な説明】
【００４４】
【図１】本発明の複合カップの一例を示す図である。  （ａ）複合カップを示す図である。  （ｂ）複合カップの内カップを取り外した場合を示す図である。
【図２】カップ本体を示す一部切断説明図である。
【図３】内カップを示す一部切断説明図である。
【図４】マドラーを示す図である。
【図５】複合カップを組み合わせる際の一例を示す説明図である。
【図６】複合カップの内部を示す一部切断説明図である。
【図７】複合カップの使用例を示す説明図である。
【図８】（ａ）（ｂ）本発明の複合カップの使用例を示す説明図である。
【図９】（ａ）（ｂ）本発明の複合カップの使用例を示す説明図である。
【符号の説明】
【００４５】
１  カップ本体
１５  フランジ部分
１６  段部
１７  側面
１８  軸凸部
１９  底部（底部分）
２  内カップ
２２  フランジ部分
２３  側面
２４  窪み
２５  底部（底部分）
３  マドラー
３１  心棒
３２  つまみ部
３３  羽根部材
３４  軸凹部  
Ａ  複合カップ
Ｂ  内カップの収容部
Ｃ  カップ本体の収容部
Ｈ、ｈ  初期開封シール
ｋ  氷
【図１】
0005055055.tif 000004
【図２】
0005055055.tif 000005
【図３】
0005055055.tif 000006
【図４】
0005055055.tif 000007
【図５】
0005055055.tif 000008
【図６】
0005055055.tif 000009
【図７】
0005055055.tif 000010
【図８】
0005055055.tif 000011
【図９】
0005055055.tif 000012